(57)【要約】【課題】部品数の増加を抑制しながらも、球供給ケースの取り付け及び球供給ケースからの球抜きを行う。【解決手段】本体枠の内部に、球払出ユニットを取り付ける。球払出ユニットは、球払出装置２１、球供給装置２２を備える。球供給装置２２は、球供給ケース２３、変位レバー２４、操作レバー２５、カバー２６を備える。変位レバー２４は、当接部２４ｂ、ガイド部２４ｃを備える。操作レバー２５は、保持部２５ｂ、操作部２５ｃ、係止部２５ｄ、回転規制部２５ｅを備える。係止部２５ｄを本体枠の係合部３ａに係止させると、球供給装置２２は取り外し不能となる。操作部２５ｃをＡ方向に回転させ、保持部２５ｂによる変位レバー２４の保持を解除すると、パチンコ球７の重みで、変位レバー２４は球抜き位置まで回転し、供給通路２３ａ内のパチンコ球７は、球抜き通路２３ｂに流れ込む。【選択図】図６
2008183223.tif 000002
【特許請求の範囲】
【請求項１】
遊技球を払い出す払出装置と、前記払出装置が取り付けられる本体枠と、前記本体枠に取り付けられ、前記払出装置に前記遊技球を供給する供給通路、及び前記供給通路内の遊技球を抜き出すときに案内する球抜き通路が設けられた球供給ケースと、前記球供給ケースに取り付けられ、前記供給通路の一部を構成する供給位置と前記球抜き通路の一部を構成する球抜き位置との間で変位する変位通路部材とを備えた遊技機において、
前記変位通路部材を変位不能に前記供給位置に保持する保持位置と保持を解除する保持解除位置との間で変位する保持部、及び前記保持部を前記保持位置と前記保持解除位置との間で変位させる操作部を有し、前記球供給ケースに取り付けられる操作部材と、
前記操作部に設けられ、前記球供給ケースを前記本体枠に取り付けたときに、前記本体枠に設けられた係合部に係止され、前記保持部を前記保持位置に保持する係止部と、を備えたことを特徴とする遊技機。
【請求項２】
前記操作部を操作し、前記係合部と前記係止部との係止を解除して前記保持部を保持解除位置に変位させたときに、前記変位通路部材は前記供給位置から前記球抜き位置まで変位することを特徴とする請求項１記載の遊技機。
【請求項３】
前記球供給ケースは、上方から下方に向けてスライドさせて、前記本体枠に取り付けられ、
前記係止部を前記係合部に係止したときに、前記球供給ケースは上方にスライド不能となることを特徴とする請求項１または２記載の遊技機。
【請求項４】
前記係合部は、前記係止部を係止する係止面と、前記係止部を係止する前に当該係止部に当接する当接面と、を備え、
前記当接面は、前記係止部に当接する方向に突出するとともに、前記球供給ケースの取付方向に向けて傾斜して形成されていることを特徴とする請求項１ないし３いずれか１つ記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
現在、遊技場に設置されるパチンコ機は、パチンコ球を発射する球発射装置にパチンコ球を供給する供給皿、パチンコ球が入賞口に入賞したことに応答して、供給皿にパチンコ球を払い出す払い出し装置、払い出し装置にパチンコ球を送り込む送込通路が設けられた球供給ケースを備える。球供給ケースは、送込通路に球が詰まった場合に、送込通路を掃除する必要があるため、パチンコ機の本体枠に着脱自在に取り付けられている。
【０００３】
送込通路にパチンコ球が貯留されている状態で、球供給ケースを本体枠から取り外すと、送込通路に貯留されていたパチンコ球は、球供給ケースの外部に落ちる。球供給ケースの外部に落ちたパチンコ球が、パチンコ機の内部に設けられた各種部材に当たった場合には、各種部材が破損することがあり、問題となっていた。そこで、特許文献１では、球供給ケースの送込通路に貯留されていたパチンコ球を抜くための球抜き機構を設けている。
【特許文献１】特開２００５−２５３７８４号公報
【発明の開示】
【発明が解決しようとする課題】
【０００４】
しかしながら、特許文献１では、球供給ケースを本体枠に着脱自在に取り付ける機構とは別個に、球供給ケースからパチンコ球を抜く球抜き機構を設けているため、部品数が増加するとともに、球供給ケースの構造が複雑になるという問題があった。
【０００５】
本発明は、上記課題を解決するためになされたものであり、部品数の増加を抑制しながらも、球供給ケースの取り付け及び球供給ケースからの球抜きを行うことができる遊技機を提供することを目的とする。
【課題を解決するための手段】
【０００６】
上記目的を達成するために、本発明の遊技機は、遊技球を払い出す払出装置と、前記払出装置が取り付けられる本体枠と、前記本体枠に取り付けられ、前記払出装置に前記遊技球を供給する供給通路、及び前記供給通路内の遊技球を抜き出すときに案内する球抜き通路が設けられた球供給ケースと、前記球供給ケースに取り付けられ、前記供給通路の一部を構成する供給位置と前記球抜き通路の一部を構成する球抜き位置との間で変位する変位通路部材とを備えた遊技機において、前記変位通路部材を変位不能に前記供給位置に保持する保持位置と保持を解除する保持解除位置との間で変位する保持部、及び前記保持部を前記保持位置と前記保持解除位置との間で変位させる操作部を有し、前記球供給ケースに取り付けられる操作部材と、前記操作部に設けられ、前記球供給ケースを前記本体枠に取り付けたときに、前記本体枠に設けられた係合部に係止され、前記保持部を前記保持位置に保持する係止部と、を備えたことを特徴とする。前記変位通路部材、前記操作部材及び前記保持部の変位としては、回転、移動等が挙げられる。
【０００７】
また、前記操作部を操作し、前記係合部と前記係止部との係止を解除して前記保持部を保持解除位置に変位させたときに、前記変位通路部材は前記供給位置から前記球抜き位置まで変位することが好ましい。なお、前記変位通路部材は、前記供給通路内の遊技球の重みにより、前記供給位置から前記球抜き位置まで変位することが好ましい。また、前記変位通路部材は、当該変位通路部材に当接する遊技球がなくなったときには、前記球抜き位置から前記供給位置まで変位することが好ましい。
【０００８】
さらに、前記球供給ケースは、上方から下方に向けてスライドさせて、前記本体枠に取り付けられ、前記係止部を前記係合部に係止したときに、前記球供給ケースは上方にスライド不能となることが好ましい。なお、前記操作部を操作し、前記係合部と前記係止部との係止を解除すると、前記球供給ケースは上方にスライド可能となることが好ましい。
【０００９】
また、前記係合部は、前記係止部を係止する係止面と、前記係止部を係止する前に当該係止部に当接する当接面と、を備え、前記当接面は、前記係止部に当接する方向に突出するとともに、前記球供給ケースの取付方向に向けて傾斜して形成されていることが好ましい。
【発明の効果】
【００１０】
本発明の遊技機によれば、変位通路部材と操作部材とにより、球供給ケースを本体枠に着脱自在に取り付ける機構と、球供給ケースからパチンコ球を抜く球抜き機構とを構成するから、２つの機構をそれぞれ別の部品で構成するものに比べて、部品数を削減することができる。
【００１１】
また、操作部を操作することにより、変位通路部材を、供給位置から球抜き位置まで変位させることができるから、容易に供給通路内の遊技球を抜き出すことができる。
【００１２】
さらに、係止部を係合部に係止すると、球供給ケースを上方にスライド不能となるから、係止部を係合部に係止するだけで、容易に球供給ケースを上方にスライド不能（取り外し不能）にすることができる。
【発明を実施するための最良の形態】
【００１３】
図１に示すように、遊技機の１実施例であるパチンコ機２は、本体枠３の内部に遊技盤４が配設されており、本体枠３の前面には前面扉５が開閉自在に組み付けられている。前面扉５の下方には、打球供給用の供給皿６及びパチンコ球（遊技球）７の打ち出し強さを調節する操作ハンドル８が設けられている。遊技盤４のパチンコ球７が打ち出される遊技領域４ａの略中央には、予め定められた入賞口へパチンコ球７を入賞させるなどの所定入賞条件に基づいて遊技中に様々な図柄を液晶画面に所定時間内において変動表示させた後に停止表示させる図柄可変表示装置９が設けられている。
【００１４】
図柄可変表示装置９の周りには、始動入賞口１０、通常入賞口１１、アタッカ１２、アウト口１３、飾り１４が設けられている。また、遊技盤４の略中央には、センター役物１５が設けられており、センター役物１５に形成された開口１５ａを介して、図柄可変表示装置９を視認することができる。本体枠３の内部には、パチンコ機２の駆動を制御する制御部１７が配されている。
【００１５】
遊技者は、供給皿６にパチンコ球７を投入してパチンコ球７を供給皿６内に設けられた誘導路を介して球発射装置（図示せず）へと導き、回動式の操作ハンドル８を所定量回動して球発射装置の駆動を制御することで、遊技盤４の遊技領域４ａの上方に向けてパチンコ球７を打ち出す。打ち出されたパチンコ球７は遊技領域４ａの上方から流下する途中で各入賞口１０，１１のいずれかまたはアタッカ１２に入るか、あるいはアウト口１３から回収される。なお、パチンコ機２の遊技領域４ａに設けられている複数の釘、風車などの構造物は公知であるので説明は省略する。
【００１６】
前面扉５は、本体枠３の前面に開閉自在に組み付けられている。前面扉５の内側には、可視可能なガラスが取り付けられている。なお、前面扉５が閉じているロック状態であるときには、遊技者や遊技場の管理者は、ガラスを通して遊技盤４の遊技領域４ａを流下していくパチンコ球７を見ることはできるが、遊技盤４にはもちろんのこと本体枠３の内部にも触れることができないようになっている。
【００１７】
図２に示すように、本体枠３の内部（背面斜視図である図２における右側端部）には、球払出ユニット２０が取り付けられている。球払出ユニット２０は、パチンコ球７を供給皿６に払い出す球払出装置２１と、球払出装置２１にパチンコ球７を供給する球供給装置２２と、を備える。球払出装置２１は、公知のものであり、詳細な説明は簡略化するが、制御部１７に接続されており、制御部１７（図１参照）により駆動が制御される。
【００１８】
図３及び図４に示すように、球供給装置２２は、供給通路２３ａ及び球抜き通路２３ｂが設けられた球供給ケース２３と、変位レバー（変位通路部材）２４と、操作レバー（操作部材）２５と、供給通路２３ａ及び球抜き通路２３ｂを覆うカバー２６と、を備え、本体枠３に着脱自在に取り付けられる。球払出装置２１は、球供給ケース２３の内部に設けられている。
【００１９】
球供給ケース２３は、本体枠３の上部に設けられた貯留タンク２８（図１及び図２参照）に貯留されたパチンコ球７を受け入れる。貯留タンク２８に貯留されたパチンコ球７は、供給通路２３ａの上部に送られる。供給通路２３ａは、球供給ケース２３に立設された２本の供給リブ２３ｃにより形成され、球供給ケース２３の上端から下端に亘って形成されている。供給通路２３ａは、貯留タンク２８から送られてきたパチンコ球７を、球払出装置２１に供給する。球払出装置２１は、払出通路が形成された払出通路部材２９（図２参照）を介して、パチンコ球７を供給皿６に払い出す。
【００２０】
２本の供給リブ２３ｃのうちの図４における右側の供給リブ２３ｃには、切欠き２３ｄが形成されており、この切欠き２３ｄには、球抜き通路２３ｂが連結して形成されている。球抜き通路２３ｂは、供給通路２３ａを流下するパチンコ球７を抜き出すときに案内するものであり、球供給ケース２３に立設された２本の球抜きリブ２３ｅにより形成されている。球抜き通路２３ｂに流れ込んだパチンコ球７は、球払出ユニット２０の外部であって、パチンコ機２の所定の箇所に送られる。なお、切欠き２３ｄを形成する位置は、適宜変更可能である。
【００２１】
変位レバー（変位通路部材）２４は、供給通路２３ａの一部を構成する供給位置（図４参照）と球抜き通路２３ｂの一部を構成する球抜き位置（図６参照）との間で、回転軸２４ａを中心に回転（変位）自在に球供給ケース２３に取り付けられている。
【００２２】
変位レバー２４は、操作レバー２５の保持部２５ｂに当接する当接部２４ｂと、円弧状に形成され、パチンコ球７を案内するガイド部２４ｃと、を備える。変位レバー２４が供給位置に位置するときには、供給通路２３ａを流下するパチンコ球７は、ガイド部２４ｃにより供給通路２３ａを案内され、球供給球払出装置２１に供給される。変位レバー２４が球抜き位置に位置するときには、供給通路２３ａを流下するパチンコ球７は、ガイド部２４ｃにより球抜き通路２３ｂに向けて案内され、球抜き通路２３ｂに流れ込む。
【００２３】
カバー２６は、供給通路２３ａ及び球抜き通路２３ｂを覆うように球供給ケース２３に取り付けられている。カバー２６には、操作レバー２５の回転規制部２５ｅを挟み込んで保持する略Ｕ字状の保持リブ２６ａが立設されている。また、カバー２６には、操作レバー２５の保持部２５ｂが挿入される挿入開口２６ｂが形成されている。
【００２４】
操作レバー（操作部材）２５は、弾性変形可能な樹脂により構成され、変位レバー２４を変位不能にする位置（図４参照）と変位可能にする位置（図６参照）との間で、回転軸２５ａを中心に回転（変位）自在にカバー２６に取り付けられている。
【００２５】
操作レバー２５は、保持部２５ｂと、操作部２５ｃと、係止部２５ｄと、回転規制部２５ｅとを備える。保持部２５ｂは、当接部２４ｂに当接して変位レバー２４を変位不能に供給位置に保持する保持位置と保持（当接）を解除する保持解除位置との間で回転する。操作部２５ｃは、保持部２５ｂを保持位置と保持解除位置との間で回転させるものであり、外部から操作可能にカバー２６から露呈している。
【００２６】
係止部２５ｄは、操作部２５ｃに設けられており、球供給装置２２を本体枠３に取り付けたときに、本体枠３に設けられた係合部３ａに係止され、保持部２５ｂを保持位置に保持する（変位レバー２４を変位不能に供給位置に保持する）。回転規制部２５ｅは、回転軸２５ａを中心に操作部２５ｃの反対側に形成され、カバー２６の保持リブ２６ａで保持される。回転規制部２５ｅは、保持リブ２６ａで保持されると、回転が規制され回転不能な状態となる。
【００２７】
球供給装置２２を本体枠３に取り付けるときには、球供給装置２２を上方から下方にスライドさせて取り付ける。本体枠３には、操作レバー２５の係止部２５ｄを係止する係合部３ａが形成されている。また、本体枠３には、球供給ケース２３を位置決め及び支持する位置決め部（図示せず）が形成されており、球供給装置２２を本体枠３に取り付けたときに、球供給装置２２がガタつくことがないようにされている。
【００２８】
図５に示すように、係合部３ａは、係止部２５ｄを係止する係止面３ｂと、係止部２５ｄを係止する前に係止部２５ｄに当接する当接面３ｃと、を備える。当接面３ｃは、係止部２５ｄに当接する方向（図５における左方向）に突出するとともに、球供給装置２２の取付方向（下方向）に向けて傾斜して形成されている。
【００２９】
図５（Ａ）に示すように、球供給装置２２を上方から下方にスライドさせると、操作レバー２５の係止部２５ｄが当接面３ｃに当接し、操作レバー２５が回転軸２５ａを中心にしてＡ方向に回転（変形）する。回転規制部２５ｅは、保持リブ２６ａで保持されて回転不能にされており、操作レバー２５がＡ方向に回転された状態では、操作レバー２５には、Ｂ方向に回転しようとする力（弾性変形により元の形状に戻ろうとする力）が発生している。このため、図５（Ｂ）に示すように、係止部２５ｄが当接面３ｃを乗り越えると、操作レバー２５が弾性変形により元の形状に戻り、係止部２５ｄが係止面３ｂに当接して係止される。係止部２５ｄが係合部３ａにより係止されると、球供給装置２２は、上方にスライド不能（取り外し不能）となる。
【００３０】
図４に示すように、球供給装置２２を本体枠３に取り付け、操作レバー２５の係止部２５ｄが本体枠３の係合部３ａにより係止されると、操作レバー２５は、変位レバー２４を変位不能にする位置で保持される（保持部２５ｂが保持位置で保持される）。この状態のときには、変位レバー２４は供給位置に保持されており、供給通路２３ａを流下するパチンコ球７は、球払出装置２１に供給される。
【００３１】
図６に示すように、操作レバー２５の操作部２５ｃをＡ方向に回転させると、保持部２５ｂが、保持位置（図４参照）から保持解除位置まで回転する。保持部２５ｂが保持解除位置まで回転すると、保持部２５ｂによる変位レバー２４の保持が解除される。保持部２５ｂによる変位レバー２４の保持が解除された状態で、供給通路２３ａ内のパチンコ球７がガイド部２４ｃに当接すると、パチンコ球７の重みで、変位レバー２４は供給位置（図４参照）から球抜き位置まで回転する。そして、供給通路２３ａ内のパチンコ球７は、ガイド部２４ｃにより球抜き通路２３ｂに向けて案内され、球抜き通路２３ｂに流れ込む。
【００３２】
上記のように構成されたパチンコ機２の作用について説明する。球供給装置２２を本体枠３に取り付けるときには、球供給装置２２を上方から下方にスライドさせて取り付ける。図５に示すように、球供給装置２２を上方から下方にスライドさせると、操作部２５ｃの係止部２５ｄが本体枠３の係止面３ｂに当接して係止される。係止部２５ｄが本体枠３の係合部３ａにより係止されると、球供給装置２２は、上方にスライド不能（取り外し不能）となる。
【００３３】
供給通路２３ａ内でパチンコ球７が詰まった場合には、パチンコ機２が設置される遊技場の管理者は、供給通路２３ａ内に詰まったパチンコ球７を除去する（球抜きする）必要がある。
【００３４】
供給通路２３ａ内のパチンコ球７を球抜きする場合には、遊技場の管理者は、図６に示すように、操作レバー２５の操作部２５ｃをＡ方向に回転させる。操作部２５ｃがＡ方向に回転されると、保持部２５ｂが、保持位置（図４参照）から保持解除位置まで回転する。保持部２５ｂが保持解除位置まで回転すると、保持部２５ｂによる変位レバー２４の保持が解除される。この状態で、供給通路２３ａ内のパチンコ球７がガイド部２４ｃに当接すると、パチンコ球７の重みで、変位レバー２４は供給位置（図４参照）から球抜き位置まで回転する。そして、供給通路２３ａ内のパチンコ球７は、ガイド部２４ｃにより球抜き通路２３ｂに向けて案内され、球抜き通路２３ｂに流れ込む。これにより、供給通路２３ａ内のパチンコ球７を球抜きすることができる。
【００３５】
供給通路２３ａ内のパチンコ球７の球抜きが終了すると、変位レバー２４は、自重により球抜き位置から供給位置（図４参照）まで回転する。そして、遊技場の管理者は、操作部２５ｃのＡ方向への回転を停止する（操作部２５ｃから手を離す）。操作部２５ｃをＡ方向に回転させた状態では、操作レバー２５には、Ｂ方向（図５参照）に回転しようとする力（弾性変形により元の形状に戻ろうとする力）が発生している。このため、遊技場の管理者が、操作部２５ｃから手を離すと、操作レバー２５が弾性変形により元の形状に戻り、係止部２５ｄが係止面３ｂに当接して係止される。係止部２５ｄが係合部３ａにより係止されると、保持部２５ｂが当接部２４ｂに当接し、変位レバー２４は供給位置に保持される。
【００３６】
また、球供給装置２２を本体枠３から取り外すときには、操作レバー２５の操作部２５ｃをＡ方向に回転させる。操作部２５ｃがＡ方向に回転されて、係合部３ａによる係止部２５ｄの係止が解除されると、球供給装置２２は、上方にスライド可能（取り外し可能）となる。この状態で、球供給装置２２を上方にスライドさせると、球供給装置２２は本体枠３から取り外される。
【００３７】
このように、操作レバー２５により、球供給装置２２のロック（上方へのスライドを不能とする）と、供給通路２３ａ内のパチンコ球７の球抜き操作と、を行うことができるから、球供給装置２２のロック機構と、供給通路２３ａ内のパチンコ球７の球抜き機構と、をそれぞれ別個に設けるタイプのパチンコ機に比べて、部品数を削減することができる。
【００３８】
また、操作部２５ｃをＡ方向に回転させて、保持部２５ｂを保持位置から保持解除位置まで回転させ、保持部２５ｂによる変位レバー２４の保持を解除すると、パチンコ球７の重みで、変位レバー２４は供給位置から球抜き位置まで回転するから、操作部２５ｃをＡ方向に回転させるだけで、容易に供給通路２３ａ内のパチンコ球７の球抜きを行うことができる。
【００３９】
さらに、係止部２５ｄを係止する係合部３ａに、係止面３ｂと当接面３ｃとを形成し、当接面３ｃを、係止部２５ｄに当接する方向に突出するとともに、球供給装置２２の取付方向（下方向）に向けて傾斜して形成したから、係止部２５ｄが当接面３ｃに当接するときの負荷を軽減することができる。
【００４０】
なお、上記実施形態では、変位レバー２４は、パチンコ球７の重みで供給位置から球抜き位置まで回転するようにしたが、操作部２５ｃをＡ方向に回転させることに連動して変位レバー２４が供給位置から球抜き位置まで回転し、操作部２５ｃをＢ方向に回転させることに連動して変位レバー２４が球抜き位置から供給位置まで回転するようにしてもよい。
【００４１】
また、上記実施形態では、変位レバー２４を、自重により球抜き位置から供給位置まで回転するようにしたが、変位レバー２４を供給位置に向けて付勢するバネを設けるようにしてもよい。この場合には、バネの荷重を、変位レバー２４にパチンコ球７が当接しているときには、パチンコ球７の重みで変位レバー２４が球抜き位置まで回転し、供給通路２３ａ内のパチンコ球７の球抜きが終了したときに、変位レバー２４を供給位置に回転させる荷重に設定する。
【００４２】
さらに、上記実施形態では、操作レバー２５の弾性変形力により、保持部２５ｂを保持解除位置から保持位置まで回転させるようにしたが、保持部２５ｂを保持位置に向けて付勢するバネを設けるようにしてもよい。
【００４３】
また、上記実施形態では、球供給装置２２を上方から下方にスライドさせて本体枠３に取り付けるようにしたが、左右方向にスライドさせて球供給装置２２を本体枠３に取り付けるようにしてもよく、球供給装置２２を取り付けるときのスライド方向は適宜変更可能である。
【００４４】
さらに、上記実施形態では、球払出装置２１を、球供給ケース２３の内部に設けたが、球払出装置２１を、球供給ケース２３の外部に設けるようにしてもよい。
【００４５】
また、上記実施形態では、遊技機としてパチンコ機２を例に挙げて説明したが、遊技媒体としてパチンコ球を使用するスロットマシンなどの各種遊技機についても本発明は適用可能である。
【図面の簡単な説明】
【００４６】
【図１】本発明を実施したパチンコ機の外観を示す斜視図である。
【図２】パチンコ機の背面斜視図である。
【図３】球払出ユニットを示す斜視図である。
【図４】変位レバーが供給通路の一部を構成する供給位置に位置するときの球供給ケースと変位レバーと操作レバーとを示す側面図及び斜視図である。
【図５】本体枠の係合部と操作レバーとを示す側面図である。
【図６】変位レバーが球抜き通路の一部を構成する球抜き位置に位置するときの球供給ケースと変位レバーと操作レバーとを示す側面図及び斜視図である。
【符号の説明】
【００４７】
２  パチンコ機
３  本体枠
３ａ  係合部
３ｂ  係止面
３ｃ  当接面
７  パチンコ球（遊技球）
２０  球払出ユニット
２１  球払出装置
２２  球供給装置
２３  球供給ケース
２３ａ  供給通路
２３ｂ  球抜き通路
２４  変位レバー（変位通路部材）
２４ｂ  当接部
２４ｃ  ガイド部
２５  操作レバー（操作部材）
２５ｂ  保持部
２５ｃ  操作部
２５ｄ  係止部
２６  カバー
【図１】
2008183223.tif 000003
【図２】
2008183223.tif 000004
【図３】
2008183223.tif 000005
【図４】
2008183223.tif 000006
【図５】
2008183223.tif 000007
【図６】
2008183223.tif 000008